(57)【要約】【課題】タッチパネルに樹脂を使用しても補強部材により、タッチパネルの撓みを防止できる情報処理装置を提供する。【解決手段】メイン基板で実行された情報処理の結果を表示する表示画面と、表示画面の表面に設置される樹脂で成形されたタッチパネル６と、表示画面の背面をカバーする背面カバー１１とを備えるディスプレイ筐体２と、タッチパネル６および表示画面とメイン基板とを接続し、タッチパネル６と表示画面の外縁と背面カバー１１とにより形成される空間に配置されるケーブル１２，１３，１８と、タッチパネル６と背面カバー１１とに接するように空間に嵌め込まれる補強部材３１と、を有する。【選択図】図２
2016143357.tif 000002
【特許請求の範囲】
【請求項１】
メイン基板で実行された情報処理の結果を表示する表示画面と、該表示画面の表面に設置される樹脂で成形されたタッチパネルと、該表示画面の背面をカバーする背面カバーとを備えるディスプレイ筐体と、
前記タッチパネルおよび前記表示画面と前記メイン基板とを接続し、前記タッチパネルと前記表示画面の外縁と前記背面カバーとにより形成される空間に配置されるケーブルと、
前記タッチパネルと前記背面カバーとに接するように前記空間に嵌め込まれる補強部材と、
を有することを特徴とする情報処理装置。
【請求項２】
前記表示画面の外縁は、前記ディスプレイ筐体と前記メイン基板を備えるメイン基板筐体とを開閉可能に接続するヒンジに対向する辺であることを特徴とする請求項１記載の情報処理装置。
【請求項３】
前記補強部材は装置の幅方向に延在し、前記表示画面の外縁の角部に固定される凸部が形成されていることを特徴とする請求項１または２記載の情報処理装置。
【請求項４】
前記補強部材は、前記背面カバーに形成された突起が貫通する穴が形成されていることを特徴とする請求項１〜３のいずれか１項に記載の情報処理装置。
【請求項５】
前記補強部材は、樹脂製であることを特徴とする請求項１〜４のいずれか１項に記載の情報処理装置。
【発明の詳細な説明】
【技術分野】
【０００１】
本発明は、タッチパネルを備えた情報処理装置に関する。
【背景技術】
【０００２】
近年、タッチパネルを備えたパーソナルコンピュータ（ＰＣ）が普及している。タッチパネルの材質はガラスが多く使用されている。携帯電話等の小さいタッチパネルの材質はガラスではなく、樹脂を使用したものがある。
【０００３】
しかし、ＰＣではタッチパネルの材質に樹脂を使用した場合、タッチパネルの面積が大きく、樹脂はガラスと比べ柔軟性が有るので、平面を保つのが困難である。しかしながら、ＰＣの軽量化のため、タッチパネルの材質はガラスではなく、樹脂を使用したタッチパネルを使用することが考えられる。
【０００４】
特許文献１には、板部材（補強部材）を備えた電子機器が開示されている。板部材は、フレキシブルプリント配線板の延在部とフレキシブルプリント配線板の延在部との間に位置されている。つまり、板部材は、延在部に挟まれている。板部材は、延在部に例えば接着等によって固定されている。板部材は、一例として、フレキシブルプリント配線板の幅方向の両端部に亘って設けられている。この板部材によって、延在部剛性が向上される。板部材は、例えば、ステンレス等の金属や、樹脂、セラミックス等によって構成されうる。
【０００５】
また、特許文献２には、パネルと圧電素子との間には、補強部材が配置される電子機器が開示されている。補強部材は、例えば樹脂製の板、板金またはガラス繊維を含む樹脂製の板である。すなわち、第２の実施形態に係る電子機器は、圧電素子と補強部材とが接合部材により接着され、さらに補強部材とパネルとが接合部材により接着される構造である。
【先行技術文献】
【特許文献】
【０００６】
【特許文献１】特開２０１４−９３３０９号公報
【特許文献２】特開２０１４−１３１３００号公報
【発明の概要】
【発明が解決しようとする課題】
【０００７】
しかし、従来技術では、タッチパネルの材質を樹脂にした場合、タッチパネル下端部の裏面は、タッチパネルからのフレキシブルケーブル（ＦＰＣ）と、液晶ディスプレイ（ＬＣＤ）からのケーブルとが配置されるため、ＬＣＤを下端部へ延長できず、タッチパネル下端部の裏面が空洞化し、タッチパネル下端部が押下されたとき、撓んでしまうという問題があった。
【０００８】
また、特許文献１に開示されている技術では、板部材により剛性を向上させているが、タッチパネルの材質を樹脂にした場合、パネルの応答性を改善する課題は解消していない。
【０００９】
また、特許文献２に開示されている技術では、パネルに補強部材を介して取り付けられた圧電素子の変形に起因して補強部材およびパネルが変形し、当該変形するパネルに接触する対象物に対して気導音と振動音とを伝える。さらに、パネルに外力が加わった場合に、その外力が圧電素子に伝達され、圧電素子が破損する可能性を低減することができるが、タッチパネルの材質を樹脂にした場合、パネルの応答性を改善する課題は解消していない。
【００１０】
本発明は、前記課題を解決するためのものであり、その目的とするところは、タッチパネルに樹脂を使用しても補強部材により、タッチパネルの撓みを防止できる情報処理装置を提供することにある。
【課題を解決するための手段】
【００１１】
かかる目的を達成するために、本発明は、以下の特徴を有する。
【００１２】
本発明に係る情報処理装置は、メイン基板で実行された情報処理の結果を表示する表示画面と、該表示画面の表面に設置される樹脂で成形されたタッチパネルと、該表示画面の背面をカバーする背面カバーとを備えるディスプレイ筐体と、前記タッチパネルおよび前記表示画面と前記メイン基板とを接続し、前記タッチパネルと前記表示画面の外縁と前記背面カバーとにより形成される空間に配置されるケーブルと、前記タッチパネルと前記背面カバーとに接するように前記空間に嵌め込まれる補強部材と、を有することを特徴とする。
【発明の効果】
【００１３】
本発明によれば、タッチパネルに樹脂を使用しても補強部材により、タッチパネルの撓みを防止できる。
【図面の簡単な説明】
【００１４】
【図１】本実施形態に係る情報処理装置を示す概略図である。
【図２】本実施形態に係る情報処理装置のディスプレイ側筐体の裏面を示す図である。
【図３】本実施形態に係るディスプレイ側筐体の裏面の下部を示す図である。
【図４】本実施形態に係るディスプレイ側筐体の裏面の下部に嵌め込まれた補強部材を示す図である。
【図５】本実施形態に係る補強部材を示す図である。
【発明を実施するための形態】
【００１５】
以下、本実施形態について図面により詳細に説明する。
【００１６】
図１は、本実施形態に係る情報処理装置１を示す概略図である。情報処理装置１は、ディスプレイ側筐体２とメイン基板側筐体３とを有するノートブック型パーソナルコンピュータである。ディスプレイ側筐体２とメイン基板側筐体３とはヒンジ部４で連結しており、電気的に接続している。ヒンジ部４の態様は従来公知のものを用いることができ、本実施形態では限定しない。
【００１７】
ディスプレイ側筐体２は、液晶ディスプレイ（ＬＣＤ）５の表面に、タッチパネル６が設置されている。メイン基板側筐体３は、内部にメインボードやマザーボードと呼ばれる情報処理装置１の基本的な入出力の核となるハードウェアデバイスを内蔵している。
【００１８】
従来、タッチパネル６の材質はガラスであった。しかし、装置の全重量の約１０％を占めるタッチパネル６の材質をガラスからＰＥＴ樹脂に変更した。ＰＥＴ樹脂はガラスの約６〜７割の重量であり、ＰＣを軽量化できる。
【００１９】
ディスプレイ側筐体２の裏面の下端部には、タッチパネル６からのフレキシブルケーブル（ＦＰＣ）と、液晶ディスプレイ５からのケーブルとが配置されるため、液晶ディスプレイ５を下端部へ延長できず、タッチパネル６の下端部の裏面が空洞化する。樹脂はガラスより柔軟性があり、タッチパネル６の下端部が押下されたとき、撓んでしまうという問題があった。
【００２０】
そこで、タッチパネル６の材質変更に伴うタッチパネル６の下端部を押下したときの応答性を改善するため、タッチパネル６の下端部が押下されたとき当該部分を裏面から支える補強部材を設置する。
【００２１】
図２は、本実施形態に係る情報処理装置１のディスプレイ側筐体２の裏面を示す図である。ディスプレイ側筐体２の裏面には、液晶ディスプレイ５の背面をカバーする背面カバー１１が設置されている。液晶ディスプレイ５の下に液晶ディスプレイ５の一部で、制御基板である電子基板１５が配置されている。ケーブル１２の先端のコネクタ１４は、電子基板１５に接続されている。
【００２２】
また、電子基板１５の下にタッチパネル６の制御基板である電子基板１７が取り付けられている。ケーブル１３の先端のコネクタ１６は、電子基板１７に接続されている。ケーブル１２，１３は、メイン基板側筐体３に接続されている。
【００２３】
カメラ用のケーブル１８は、表示画面の周囲に配置されている。カメラ用のケーブル１８は、ディスプレイ側筐体２の裏面の上端部に設置されたカメラ基板２２に先端のコネクタ１９が接続され、ディスプレイ側筐体２の裏面の周端に設置され、ディスプレイ側筐体２の裏面の下端部に配置される。ディスプレイ側筐体２の裏面の下端部に配置されたカメラ用のケーブル１８は、Ｕ字に収納され、本体に接続されている。
【００２４】
補強部材３１は、タッチパネル６と液晶ディスプレイ５の外縁と背面カバー１１とにより形成される空間に配置されるケーブル１２，１３と電子基板１７の下の位置で、タッチパネル６と背面カバー１１とに接するように空間に嵌め込まれている。液晶ディスプレイ５の外縁は、ディスプレイ側筐体２とメイン基板側筐体３とを開閉可能に接続するヒンジ部４に対向する辺である。
【００２５】
図３は、本実施形態に係るディスプレイ側筐体２の裏面の下部を示す図である。図３（ａ）に示すように、ケーブル１２は液晶ディスプレイ５の一部である電子基板１５に接続されている。ケーブル１２は補強部材３１とガイド板２０との間に収納されている。図３（ｂ）に示すように、ケーブル１２が取り外され、電子基板１７が配置されている。電子基板１７に４個のＦＰＣ２１が接続されている。
【００２６】
図４は、本実施形態に係るディスプレイ側筐体２の裏面の下部に嵌め込まれた補強部材３１を示す図である。４個のＦＰＣ２１が電子基板１７のコネクタから外され、電子基板１７は表示画面から取り外されている。Ｕ字状に取り付けられていたケーブル１８は、取り外されている。補強部材３１は樹脂製であり、ディスプレイ側筐体２の裏面の下端部に嵌め込まれている。
【００２７】
図５は、本実施形態に係る補強部材３１を示す図である。補強部材３１は、ディスプレイ側筐体２から取り外されている。補強部材３１は情報処理装置の幅方向に延在し、上側の４箇所に凸部３２，３３，３４，３５が形成されている。
【００２８】
凸部３２，３５は補強部材３１の両端に形成され、四角の形状である。凸部３２，３５の下面には段差が形成され、表示画面の下端部の角部４４，４５に組み合わされる。凸部３３，３４は補強部材３１の長手方向に延在し、段差が形成された下面がディスプレイ側筐体２の下端部の角部４６，４７に組み合わされる。
【００２９】
補強部材３１は下側に４つの穴３６，３７，３８，３９が形成され、ディスプレイ側筐体２の裏面の下端部に形成された突起４０，４１，４２，４３がそれぞれ穴３６，３７，３８，３９に挿入される。
【００３０】
凸部３２と穴３６の間はケーブル１８が嵌め込まれる。側面４８は底面から垂直であり、一部の側面４９は曲面である。側面４９の端部は、ディスプレイ側筐体２の裏面の下端部に形成された側面５０に接する。
【００３１】
凸部３３，３４の下側の面５１には、電子基板１７が固定され、電子基板１７のコネクタには４個のＦＰＣ２１が接続される。また、電子基板１５の下にタッチパネル６の一部が位置し、ＦＰＣ２１が接続されている。
【００３２】
本実施形態によれば、タッチパネル６に樹脂を使用しても補強部材３１により、タッチパネルの撓みを防止できる。
【００３３】
尚、上述した実施の形態は、本発明の好適な実施の形態の一例を示すものであり、本発明はそれに限定されることなく、その要旨を逸脱しない範囲内において、種々変形実施が可能である。
【符号の説明】
【００３４】
１    情報処理装置
２    ディスプレイ側筐体
３    メイン基板側筐体
４    ヒンジ部
５    液晶ディスプレイ
６    タッチパネル
１１    背面カバー
１２    ケーブル
１４    コネクタ
１５    電子基板
１８    ケーブル
２１    ＦＰＣ
３１    補強部材
３２    凸部
３６    穴
４０    突起
４４    角部
４８    側面
【図１】
2016143357.tif 000003
【図２】
2016143357.tif 000004
【図３】
2016143357.tif 000005
【図４】
2016143357.tif 000006
【図５】
2016143357.tif 000007